(57)【要約】【課題】側柵を支持する支持部材を所定の位置で自動的に移動不能にロックできるようにすること。【解決手段】所定間隔で設けられた一対の第１の連結部材にそれぞれ一端が回動可能に連結された一対のアーム部材４２と、アーム部材の他端にそれぞれ一端が回動可能に連結された一対の第２の連結部材４３と、第２の連結部材の他端が側面に所定間隔で連結された側柵を着脱可能に支持する支持部材４４と、アーム部材と第２の連結部材との連結部分に設けられ支持部材をベッドフレームの側辺部に接近する不使用位置、或いはベッドフレームの側辺部から離れる使用位置にそれぞれ側柵を移動させて一対のアーム部材を回動させたとき、第２の連結部材に対してアーム部材が所定角度回動することで、アーム部材を回動不能にロックするストッパ手段５１を具備する。【選択図】図５
2020069320.tif 000002
【特許請求の範囲】
【請求項１】
ベッドフレームの側辺部に側柵を支持することができるベッド装置であって、
前記ベッドフレームの側辺部に所定間隔で設けられた一対の第１の連結部材と、
一対の前記第１の連結部材にそれぞれ一端が回動可能に連結された一対のアーム部材と、
一対の前記アーム部材の他端にそれぞれ一端が回動可能に連結された一対の第２の連結部材と、
前記側柵を着脱可能に支持する一対の収納孔が上面に開口して形成され一対の前記第２の連結部材の他端が側面に所定間隔で連結された支持部材と、
一対の前記アーム部材と前記第２の連結部材との連結部分の少なくとも一方の連結部分に設けられ、前記支持部材を前記ベッドフレームの側辺部に接近する前記側柵の不使用位置、或いは前記不使用位置よりも前記ベッドフレームの側辺部から離れる前記側柵の使用位置にそれぞれ移動させて一対の前記アーム部材を回動させたとき、前記第２の連結部材に対して前記アーム部材が所定角度回動することで、前記アーム部材を回動不能にロックするストッパ手段と
を具備したことを特徴とするベッド装置。
【請求項２】
前記ストッパ手段は、前記アーム部材が所定角度回動することで回動不能にロックされたとき、そのロック状態は手動で解除する構成であることを特徴とする請求項１記載のベッド装置。
【請求項３】
前記ストッパ手段は、
上辺と下辺を有し、その一辺には第１の円弧状溝、及びこの第１の円弧状溝の両端に前記円弧状溝の幅寸法よりも大径な係合孔が連続して形成された第１のガイド部が設けられ、他辺には前記第１のガイド部と対応する位置に前記第１の円弧状溝と同様に湾曲して形成された第２のガイド溝からなる第２のガイド部が設けられた前記第２の連結部材と、
前記第２の連結部材の上辺と下辺の間に入り込む凸部を有し、この凸部の前記第１のガイド部と前記第２のガイド部とに対応する位置に上下方向に貫通する収納孔が形成された前記アーム部材と、
前記収納孔に軸線方向に沿って移動可能に収容さればね体によって前記第２の連結部材の一辺側に位置する一端部側が前記収納孔から突出する方向に付勢され、前記一端部側には前記アーム部材が回動することで前記第１のガイド部の前記第１の円弧状溝に沿って移動する外径寸法の小径軸部、及び前記係合孔に対応する位置で前記ばね体の付勢力によって移動して前記係合孔に入り込み、この係合孔に係合して前記第１の円弧状溝に対する移動が阻止される大径軸部を有するロック用軸体と、
によって構成されていることを特徴とする請求項１記載のベッド装置。
【請求項４】
前記ロック用軸体の他端には、このロック用軸体が前記ばね体によって付勢されて移動したときに、前記大径軸部が前記係合孔に係合した位置で前記ロック用軸体の移動を阻止するストッパ部材が設けられていることを特徴とする請求項３記載のベッド装置。
【請求項５】
前記ロック用軸体は、ガイド軸と、このガイド軸に軸方向に沿って移動可能に外装され先端部を除く部分が前記大径軸部に形成され、先端部が前記小径軸部に形成されたスリーブと、前記ガイド軸に設けられ前記スリーブを前記ガイド軸の軸方向の所定の位置に位置決め保持する鍔部によって構成されていることを特徴とする請求項３記載のベッド装置。
【請求項６】
ベッドフレームの側辺部に側柵を着脱可能に支持する一対の支持部材が前記ベッドフレームの長手方向の一端部と他端部に設けられ、
前記支持部材は、前記側柵を支持して前記ベッドフレームの側辺部に所定間隔で離間した使用位置と、前記側柵を除去して前記ベッドフレームの側辺部に接近する不使用位置との間で移動可能となっていて、
前記ベッドフレームの側辺部の一対の前記支持部材の間の部分には、これら支持部材を前記ベッドフレームの側辺部に接近する前記不使用位置に移動させたとき、一対の前記支持部材と一直線となるとともに、その側面が一対の前記支持部材の側面と同一平面をなす飾り部材が設けられていることを特徴とするベッド装置。
【請求項７】
一対の前記支持部材は、前記ベッドフレームの側辺部に一端が回動可能に連結されたアーム部材の他端に回動可能に連結され、前記アーム部材を所定方向に回動させることで前記ベッドフレームの側辺部に対して接離する方向に移動するようになっていて、
各一対の前記アーム部材は、逆方向に回動して前記支持部材を前記ベッドフレームの長手方向に対して逆方向に移動させながら前記ベッドフレームの側辺部に対して接近或いは離反する方向に移動させることを特徴とする請求項６記載のベッド装置。
【発明の詳細な説明】
【技術分野】
【０００１】
この発明は上面に床板体が設けられるベッドフレームを有し、このベッドフレームの側部に側柵が設けられるベッド装置に関する。
【背景技術】
【０００２】
たとえば、病院などで使用される介護用のベッド装置は、マットレス上に仰臥した利用者に掛けた掛け布団が落ちるのを防止したり、利用者がマットレス上で起き上がったり、或いはベッド装置に乗り降りするときに掴まるためなどに、前記ベッドフレームの側部に側柵を着脱可能に設けるようにしている。
【０００３】
その場合、前記ベッドフレームの側部に支持部材を設け、この支持部材に形成された支持孔に、前記側柵に設けられた脚部を着脱可能に挿入支持するようにしている。ベッド装置の利用者によっては、前記側柵を必要としない場合がある。そのような場合には、前記支持部材から前記側柵を取り外すようにしている。
【０００４】
側柵が取り外された前記支持部材は、前記ベッド装置の側方に突出しているから、ベッド装置の近くを歩行する際に邪魔になったり、車椅子に乗った状態でベッドフレームに近寄る場合に邪魔になるなどのことがある。
【０００５】
そこで、前記側柵を必要としない場合、前記支持部材が邪魔にならないようにするということが行われている。特許文献１には２つの実施の形態が示されている。第１の実施の形態では、ベッドフレーム（枠体）の側部にＵ字状の一対のブラケットを所定間隔で設け、このブラケットに前記側柵の脚部を支持する差込穴が設けられた支持部材がそれぞれ水平方向に沿う軸線を回転中心として回動可能に設けられている。
【０００６】
一対の支持部材は連結棒で連結されている。この連結棒によって一対の前記支持部材を同時に回動させることができるようになっている。それによって、一対の前記支持部材は前記ブラケットから側方に突出した非収納状態（側柵の使用時）と、前記ブラケットに収納された収納状態（側柵の不使用時）とに変換することができる。
【０００７】
非収納状態において、一対の支持部材の差込穴に前記側柵の脚部を差し込めば、前記ベッドフレームの側部に前記側柵を支持することができ、側柵を前記支持部材から取外して前記支持部材を回動させて非収納状態にすれば、前記支持部材が前記ブラケットに収容されるから、その分、前記ベッドフレームの側方への突出を小さくすることができる。
【０００８】
特許文献１の実施の形態２では、ベッドフレームの側部にコ字状の一対のブラケットを設け、各ブラケットにはそれぞれ差込穴が形成された支持部材の一端部を水平方向と交差する方向の軸線を中心にして回動するよう枢支する。一対の支持部材は両端部がへの字状に屈曲された連結棒の一端と他端がそれぞれ枢着されている。
【０００９】
一対の前記支持部材の差込孔に側柵を支持する場合には、前記連結棒によって一対の前記支持部材を前記ベッドフレームの側部に対してほぼ垂直になるよう回動させ、側柵を使用しない場合には前記連結棒によって一対の前記支持部材を倒伏させる。
【００１０】
それによって、側柵を使用しないときには一対の前記支持部材の前記ベッドフレームの側方への突出量を小さくすることができる。
【先行技術文献】
【特許文献】
【００１１】
【特許文献１】特開２０１５−２０２３７７号公報
【発明の概要】
【発明が解決しようとする課題】
【００１２】
特許文献１に示された第１、第２の実施の形態によれば、側柵の不使用時には前記支持部材を前記ベッドフレーム側へ倒伏させることで、使用時に比べて前記支持部材が前記ベッドフレーム側方への突出量を小さくすることができる。
【００１３】
ところで、特許文献１の実施の形態１では、支持部材に側柵を支持する側柵の使用時には、前記ブラケットに形成された保持部（細孔）に固定用部材を差し込むことで、前記支持部材が倒伏方向へ回動して倒れるのを阻止するようにしている。
【００１４】
すなわち、前記側柵の不使用時には前記支持部材を単に倒伏させているだけである。そのため、前記支持部材は自由に回動する状態にあるから、ガタ付くということがあったり、不用意に触れるなどして回動させてしまうと、前記支持部材とブラケットとの間に手指を挟むという虞がある。
【００１５】
しかも、側柵の使用時には前記支持部材を起立させた後、前記ブラケットに形成された保持部にピン状の固定用部材を通さなければならないから、その作業が煩わしいばかりか、その作業を忘れてしまい、前記側柵の支持状態が不安定になるということがある。
【００１６】
さらに、側柵の不使用時には前記固定用部材を保管しておかなければならないから、その管理が煩わしいばかり、紛失する虞もある。
【００１７】
特許文献１の実施の形態２では、上述したように側柵を使用しないとき、一対の前記支持部材はブラケットを支点として倒伏方向に回動させることで、前記ベッドフレームの側方への突出量を小さくすることができる。
【００１８】
しかしながら、実施の形態２では、前記ブラケットを起立方向に回動させた使用時、及び倒伏方向に回動させた不使用時のいずれであっても、前記支持部材が回動しないよう保持し、不用意に動いてしまうのを防止するということが示されていない。
【００１９】
そのため、使用時においては側柵に触れると、前記支持部材が回動方向にガタ付き、側柵の支持状態が安定しないということがあり、不使用時にも前記支持部材に触れると、回動方向にガタ付いたり、動くため、支持状態が不安定であるということがある。
【００２０】
つまり、実施の形態２では側柵の使用時、不使用時のいずれであっても、側柵を支持する前記支持部材が確実に動かないように保持するということが示されていない。
【００２１】
この発明は、側柵の使用時或いは不使用時のいずれであっても、側柵を動かないように保持することができ、しかも側柵の支持部材を使用位置及び不使用位置に位置決めすれば、その位置決めに連動して前記支持部材を自動的に移動不能にできるようにしたベッド装置を提供することにある。
【課題を解決するための手段】
【００２２】
この発明は、ベッドフレームの側辺部に側柵を支持することができるベッド装置であって、
前記ベッドフレームの側辺部に所定間隔で設けられた一対の第１の連結部材と、
一対の前記第１の連結部材にそれぞれ一端が回動可能に連結された一対のアーム部材と、
一対の前記アーム部材の他端にそれぞれ一端が回動可能に連結された一対の第２の連結部材と、
前記側柵を着脱可能に支持する一対の収納孔が上面に開口して形成され一対の前記第２の連結部材の他端が側面に所定間隔で連結された支持部材と、
一対の前記アーム部材と前記第２の連結部材との連結部分の少なくとも一方の連結部分に設けられ、前記支持部材を前記ベッドフレームの側辺部に接近する前記側柵の不使用位置、或いは前記不使用位置よりも前記ベッドフレームの側辺部から離れる前記側柵の使用位置にそれぞれ移動させて一対の前記アーム部材を回動させたとき、前記第２の連結部材に対して前記アーム部材が所定角度回動することで、前記アーム部材を回動不能にロックするストッパ手段と
を具備したことを特徴とするベッド装置にある。
【発明の効果】
【００２３】
前記側柵の不使用位置或いは使用位置に、前記アーム部材を回動させて前記側柵を支持する前記支持部材を移動させれば、それぞれの移動位置で前記アーム部材の前記第２の連結部材に対する回動によって前記ストッパ手段が作動して前記アーム部材が回動不能にロックされる。
【００２４】
つまり、前記側柵の使用時或いは不使用時のいずれのときであっても、前記側柵を支持する前記支持部材は自動的に回動が阻止されるため、側柵の使用時には前記側柵を支持した前記支持部材をガタ付くことなく確実に支持することができ、不使用時には側柵が外された前記支持部材が不用意に動くのを確実に防止できる。
【図面の簡単な説明】
【００２５】
【図１】この発明の一実施の形態を示す、床板体を起上させたベッド装置の斜視図。
【図２】同じく床板体を倒伏させた状態を示すベッド装置の斜視図。
【図３】ベッドフレームを示す平面図。
【図４】（ａ）はベッドフレームの側部に設けられる側柵を支持する支持部材の上面図、（ｂ）は背側面図、（ｃ）は下面図、（ｄ）は図（ｂ）の端面図。
【図５】ロック用軸体が第１、第２の円弧状溝の途中にあるときの側柵が連結された第２の連結部材とアーム部材とを示す断面図。
【図６】図５の状態のときの第２の連結部材に対するアーム部材の傾き状態を示す横断面図。
【図７】ロック用軸体が第１の円弧状溝の末端に到達して移動不能にロックされたときの第２の連結部材とアーム部材とを示す断面図。
【図８】図７の状態のときの第２の連結部材に対するアーム部材の傾き状態を示す横断面図。
【図９】ロック用軸体を構成するスリーブの断面図。
【図１０】支持部材に着脱可能に取付けられる側柵の正面図。
【発明を実施するための形態】
【００２６】
図１と図２はベッド装置の斜視図であって、このベッド装置は図２に示すベースフレーム１を備えている。このベースフレーム１は矩形状に形成されていて、その四隅部には設置用脚２が設けられている。なお、前記設置用脚２に代わってキャスターを設けるようにしてもよい。
【００２７】
図２に示すように、前記ベースフレーム１の四隅部の上面には上下駆動機構３を構成する連結杆４（三か所だけ図示）の一端が枢着され、他端はそれぞれ後述するよう構成された矩形枠状に形成されたベッドフレーム５の四隅部に枢着されている。
【００２８】
４本の前記連結杆４は図示しない連動リンクを介して上下用駆動源６によって連動して駆動される。すなわち、前記連結杆４は前記ベースフレーム１に枢着された一端を支点として水平に倒伏した状態から、図２に示す起立方向へ駆動されるようになっている。  
【００２９】
それによって、前記ベッドフレーム５は図１に示す下降位置から、図２に示す上昇位置に駆動されるようになっている。
【００３０】
図３は前記ベッドフレーム５を示し、このベッドフレーム５は本体フレーム部１１を有する。この本体フレーム部１１は平行に離間対向して配置される一対の第１の側辺部１２と、これら第１の側辺部１２の長手方向の一端と他端とをそれぞれ連結した一対の第１の短辺部１３ときによって矩形枠状に形成されている。
【００３１】
前記第１の側辺部１２及び第１の短辺部１３は金属や樹脂などによって角筒状に形成された部材が用いられている。  
【００３２】
前記本体フレーム部１１の長手方向の一端部と他端部にはそれぞれ調整フレーム部１５が図３に矢印Ｘで示すように前記本体フレーム部１１の長手方向に沿って移動可能に保持されている。
【００３３】
前記調整フレーム部１５は、前記第１の短辺部１３よりもわずかに長尺な第２の短辺部１６と、この第２の短辺部１６の長手方向両端に前記本体フレーム部１１の幅寸法よりもわずかに大きな間隔で一端が連結された一対の第２の側辺部１７とによってコ字状に形成されている。前記第２の短辺部１６と第２の側辺部１７も前記本体フレーム部１１と同様、角筒の部材によって形成されている。
【００３４】
一対の前記第２の側辺部１７は、前記本体フレーム部１１の一対の前記第１の側辺部１２の外側に位置している。前記第２の側辺部１７の他端部には前記本体フレーム部１１の前記第１の側辺部１２をスライド可能に保持する第１の保持部材１８が設けられ、前記第１の側辺部１２の端部には前記第２の側辺部１７をスライド可能に保持する第２の保持部材１９が設けられている。
【００３５】
それによって、前記本体フレーム部１１の長手方向の一端部側と他端部側とに設けられた一対の前記調整フレーム部１５は、矢印Ｘで示すように前記本体フレーム部１１の長手方向に沿って移動可能、かつ所定の移動位置で図示しないストッパ手段によって固定可能に設けられている。
【００３６】
つまり、前記ベッドフレーム５は、前記前記本体フレーム部１１に対して前記調整フレーム部１５の取付け位置を調整することで、全体の長さ寸法を利用者の身長などに応じて変えることができるようになっている。
【００３７】
なお、前記調整フレーム部１５の前記第２の短辺部１６には図１と図２に示すようにヘッドボード及びフットボードとなるボード体２１が下端部を連結して立位状態で設けられている。
【００３８】
図１と図２に示すように、前記ベッドフレーム５の上面には床板体２５が設けられる。
【００３９】
前記床板体２５は、２つに分割され前記ベッドフレーム５の前記本体フレーム部１１の長手方向の中途部に取付け固定された一対の固定床部２６を有する。
【００４０】
一方の前記固定床部２６には第１の腰床部２７と第２の腰床部２８が順次回動可能に連結されている。前記第２の腰床部２８の一側には連結部２９が突出形成され、この連結部２９には背床部３１が連結されている。
【００４１】
前記背床部３１は、図１に示すように前記連結部２９に下端が回動可能に連結された中央背部３２、この中央背部３２の両側に前方向にだけ回動するよう連結された一対の側部背部３３を有する。
【００４２】
前記中央背部３２は下端を支点として前方だけに回動するようになっており、前記側部背部３３は前記中央背部３２に連結された一側を支点として前方だけに回動するようになっている。そして、前記中央背部３２と前記側部背部３３は図示しない駆動機構によって前方へ回動駆動されるようになっている。
【００４３】
前記固定床部２６他方には回動可能に連結された一対の第１の脚床部３５と、第２の脚床部３６が順次回動可能に連結されている。
【００４４】
そして、前記床板体２５は、前記ベッドフレーム５に設けられた図示しない背上げ駆動装置を作動させることで、図２に示すように水平に倒伏した状態から、図１に示すように前記第１の腰床部２７、前記第２の腰床部２８、前記背床部３１、前記第１の脚床部３５及び前記第２の脚床部３６が上昇方向に駆動されるようになっている。
【００４５】
前記床板体２５の前記第１の腰床部２７と前記第２の腰床部２８、及び前記第１の脚床部３５と前記第２の脚床部３６はそれぞれ一方の部材に対して他方の部材が移動可能に設けられている。そして、移動可能な他方の部材を一方の部材に対して移動させたとき、所定の移動位置で前記他方の部材を前記一方の部材に対して固定できるようになっている。
【００４６】
それによって、前記ベッドフレーム５の長さを上述したように変えたとき、前記床板体２５を前記ベッドフレーム５の長さに対応する長さに設定できるようになっている。
【００４７】
図３に示すように、前記ベッドフレーム５を構成する前記調整フレーム部１５の各一対の前記第２の側辺部１７の外側面には、それぞれ一対の第１の連結部材４１が所定間隔で一端を固定して設けられている。
【００４８】
前記第１の連結部材４１の他端にはアーム部材４２の一端部が回動可能に連結されている。前記アーム部材４２の他端は第２の連結部材４３に回動可能に連結されている。
【００４９】
一対の前記第２の連結部材４３は、図４に示すように前記ベッドフレーム５の幅方向外側に配置される支持部材４４の長手方向の一端部と他端部との側面に固定されている。前記支持部材４４の長手方向の両端部には上面に開口した支持孔４５が形成されている。一対の前記支持孔４５には、図１０に示す側柵４６の一対の脚部４７が挿入支持される。
【００５０】
前記支持部材４４を前記ベッドフレーム５に連結した一対の前記アーム部材４２と一対の前記第２の連結部材４３の、一方の連結部分には図５と図７に示すストッパ手段５１が設けられている。  
【００５１】
すなわち、前記第２の連結部材４３は下辺４３ａと上辺４３ｂを有して側面形状がコ字状をなしていて、その中間辺４３ｃの外面が前記支持部材４４の側面に固定されている。図４（ｃ）に示すように、一方の前記第２の連結部材４３の前記下辺４３ａには所定の幅寸法の第１の円弧状溝５２、及びこの第１の円弧状溝５２の両端に連続した、前記第１の円弧状溝５２の幅寸法よりも大径な係合孔５３が形成されている。前記第１の円弧状溝５２と前記係合孔５３とによって第１のガイド部を構成している。
【００５２】
図４（ａ），（ｃ）に示すように、前記第２の連結部材４３の前記上辺４３ｂには前記第１の円弧状溝５２と同じ円弧状であるが、幅寸法は狭く設定された、第２のガイド部を構成する第２の円弧状溝５５が形成されている。
【００５３】
図５と図７に示すように、前記アーム部材４２は帯状の下辺４２ａと上辺４２ｂを有し、一側が解放した断面形状がコ字状の本体部４０を備えている。前記下辺４２ａと上辺４２ｂとの長手方向一端部と他端部にはそれぞれ取付け孔６２ａ，６２ｂが形成されている。
【００５４】
図３に示すように、一方の取付け孔６２ａは第１の支軸５７によって前記第１の連結部材４１に枢着され、他方の前記取付け孔６２ｂは第２の支軸５８によって前記第２の連結部材４３に枢着されている。
【００５５】
図５乃至図８に示すように、前記本体部５２の前記上辺５２ａと前記下辺５２ｂとの間には凸部６１が設けられている。この凸部６１の先端部は、前記上辺４２ａと前記下辺４２ｂとの間から前記本体部４０の解放端側へ突出し、その突出部分には収納孔６２が上下方向に沿って形成されている。
【００５６】
前記収納孔６２は下端が前記凸部６１の下面に第１の通孔６３を介して開口し、上端が第２の通孔６４を介して上面に開口している。  
【００５７】
前記第１の通孔６３の内径寸法は、前記第１の円弧状溝５２の両端に形成された前記係合孔５３と同じ径に形成され、前記第２の通孔６４の内径寸法は前記第２の円弧状溝５５の幅寸法と同じに設定されている。
【００５８】
前記収納孔６２にはガイド軸６５が挿通されている。このガイド軸６５は下端部に前記収納孔６２よりも大径な鍔部６６が設けられている。この鍔部６６の上端側には前記第２の円弧状溝５５の幅寸法とほぼ同径の小径部６５ａに形成され、下端側には解除操作軸部６７が設けられている。
【００５９】
前記小径部６５ａには、前記ガイド軸６５とでロック用軸体６８を構成するスリーブ６９が外装されている。前記スリーブ６９は、図９に示すように下端部が前記第２の円弧状溝５５の幅寸法と同じ外径寸法の第１の部分６９ａに形成され、他の部分は前記第１の円弧状溝５２の端部に形成された前記係合孔５３の内径寸法と同径の第２の部分６９ｂに形成されている。
【００６０】
さらに、前記ガイド軸６５の前記小径部６５ａには前記スリーブ６９の上にコイル状のばね７１が装着されている。前記ガイド軸６５の上端には前記第２の円弧状溝５２の幅寸法よりも大径なキャップ状のストッパ部材としてのナット７２が螺合される。
【００６１】
前記スリーブ６９及び前記ばね７１を装着した前記ガイド軸６５は、前記ナット７２を外した状態で前記第２の連結部材４３の前記第１の円弧状溝５２の前記係合孔５３から前記収納孔６１に挿通される。その後、前記ガイド軸６５の上端に前記ナット７２が螺合される。
【００６２】
それによって、前記ガイド軸６５の前記小径部６５ａの上端部は、前記第２の連結部材４３の上辺４３ｂに形成された前記第２の円弧状溝５２から上方へ突出させることができる。しかも、前記ガイド軸６５は前記収納孔６１に前記ナット７２によって脱落不能、かつ前記ばね７１を圧縮させ、その復元力で下方向に付勢されて移動可能に収容されている。
【００６３】
図３に実線と鎖線で示しように、前記支持部材４４を前記ベッドフレーム５の側辺部に対して接離する方向に移動させると、前記アーム部材４２が前記第１の連結部材４１に連結された一端部を支点として回動する。そのとき、前記アーム部材４２の他端部に設けられた前記ロック用軸体６８の前記スリーブ６９の第１の部分６９ａ及び前記ガイド軸６５は前記第２の連結部材４３の下辺と上辺に形成された前記第１の円弧状溝５２と前記第２の円弧状溝５５に沿って移動する。
【００６４】
図５に示すように、前記ロック用軸体６８の前記スリーブ６９の前記第１の部分６９ａが前記第１の円弧状溝５２に位置しているときには、前記スリーブ６９は前記ばねの付勢力に抗して下降位置が制限される。つまり、前記スリーブ６９の前記第１の部分６９ａが前記第１の円弧状溝５２を通過しない位置で保持される。
【００６５】
前記アーム部材４２が図６に示す状態から図８に示す状態、つまり前記支持部材４４が前記ベッドフレーム５の側辺部に最も接近した状態に回動すると、図７に示すように前記スリーブ６９が前記第１の円弧状溝５２の端部に連設された一方の前記係合孔５３に対応位置する。すると、前記スリーブ６９は前記ばね７１の復元力によって前記ガイド軸６５とともに下方へ移動する。
【００６６】
それによって、前記スリーブ６９の前記第２の部分６９ｂが一方の前記係合孔５３に入り込み、前記係合孔５３に係合する位置まで下降するから、前記スリーブ６９が前記第１の円弧状溝５２に沿って移動するのが阻止される。つまり、前記アーム部材４２をそれ以上回動させることができなくなる。
【００６７】
前記支持部材４４を前記ベッドフレーム５から離れる方向へ移動させることで、前記アーム部材４２を逆方向の所定位置まで回動させれば、前記スリーブ６９の前記第２の部分６９ｂは、前記第１の円弧状溝５２の端部に連設された他方の前記係合孔５３に係合して前記アーム部材４２の回動を阻止することになる。
【００６８】
前記ガイド軸６５の下降位置は、このガイド軸６５の上端に設けられた前記ナット７２が前記第２の連結部材４３の上辺４３ｂに当たることで規制される。
【００６９】
前記スリーブ６９の前記第２の部分６９ｂを前記係合孔５３から外すには、前記ガイド軸６５の下端に設けられた解除操作軸部６７の下端に手指を当て、前記ガイド軸６５を前記ばね７１の付勢力に抗して上昇させる。
【００７０】
それによって、前記スリーブ６９の前記第２の部分６９ｂが前記係合孔５３から外れるから、そのときに前記アーム部材４２に連結された前記支持部材４４を前記ベッドフレーム５の側部から離れる方向に或いは接近する方向へ移動させれば、図５に示すように前記スリーブ６９の前記第１の部分６９ａが前記第１の円弧状溝５２に位置する状態に戻すことができる。
つまり、前記アーム部材４２は、前記ガイド軸６５に設けられた前記スリーブ６９が前記第１の円弧状溝５２の一端に設けられた一方の係合孔５３と、他端に設けられた他方の係合孔５３との間を移動する角度に応じて、前記支持部材４４に接離する方向に移動させることができる。
【００７１】
そして、各移動の終わりで前記ばね７１の付勢力によって前記スリーブ６９の前記第２の部分６９ｂが前記係合孔５３に係合することで、前記アーム部材４２が自動的に移動不能に保持されるようになっている。
【００７２】
なお、前記支持部材４４は一対の前記アーム部材４２によって前記ベッドフレーム５の側部に連結されているが、上述した構成のストッパ手段５１は少なくとも一方の前記支持部材４４と前記アーム部材４２の連結箇所に設けるようにすればよい。
【００７３】
また、前記解除操作軸部６７に、この解除操作軸部６７よりも大きく、しかも前記支持部材４４の下面よりも下方へ突出するキャップ（図示せず）を装着する。そして、このキャップの外面に前記支持部材４４の外面側に突出する突出片（図示せず）を設けるようにする。
【００７４】
そうすることによって、前記突出片により前記キャップ、つまり前記解除操作軸部６７の位置が認識し易くなり、しかも前記キャップによって前記解除操作軸部６７を押圧操作し易くなるから、前記ストッパ手段５１によるロック状態の解除操作を容易にしかも迅速に行うことが可能になる。
【００７５】
図３に示すように、前記ベッドフレーム５の両側部に、それぞれ一対の前記支持部材４４が前記ベッドフレーム５の長手方向に対して所定の間隔で設けられる。一対の前記支持部材４４の間の部分には、前記支持部材４４とほぼ同じ形状をした飾り部材７５が前記ベッドフレーム５の側面に一対の取付け部材７６によって固定して設けられている。
【００７６】
前記飾り部材７５は、前記支持部材４４を図３に実線で示すように前記ベッドフレーム５の側辺部に接近する方向へ移動させる前記側柵４６の不使用時に、一対の前記支持部材４４と一直線になるよう設けられている。それによって、前記側柵４６の不使用時、前記ベッドフレーム５の側部の外観が向上する。
【００７７】
なお、前記飾り部材７５の両端面と、前記一対の支持部材４４の前記飾り部材７５の端面に対応するそれぞれ一方の端面を、同方向に傾斜し、かつ前記支持部材４４が前記ベッドフレーム５に接近する方向へ後退したときにぶつからず、しかも離れる方向へ移動するときにもぶつかることのない斜面に形成するようにしてもよい。
【００７８】
そうすることによって、前記支持部材４４が後退したとき、前記支持部材４４と前記飾り部材７５との端面間に隙間があることが見え難くなるから、外観の向上を図ることができる。
【００７９】
前記ベッドフレーム５の各側部に設けられたそれぞれ一対の前記支持部材４４は、前記ベッドフレーム５の側部に対して離れた位置から接近する方向、あるいは逆方向へ変位させるとき、図３に矢印で示すように前記アーム部材４２の回動方向が逆になるように設定されている。
【００８０】
たとえば、一対の前記支持部材４４を前記ベッドフレーム５に接近した位置から離れる方向へ移動させるとき、一方の前記支持部材４４に連結された一対の前記アーム部材４２は反時計方向に回動し、他方の一対の前記アーム部材４２は時計方向に回動するようになっている。
【００８１】
つまり、前記支持部材４４の前記ベッドフレーム５の側部に対する移動方向が逆になるように設定されている。
【００８２】
それによって、前記支持部材４４を、図３に鎖線で示す前記ベッドフレーム５の側部から離れた位置から接近する方向へ回動変位させると、各一対の前記支持部材４４の対向する両端は前記飾り部材７５の長手方向の両端に対して離れた位置から接近する方向へ移動しながら回動する。
【００８３】
そのため、一対の前記支持部材４４と１つの前記飾り部材７５の端部間に大きな隙間が生じないよう、一対の前記支持部材４４を前記飾り部材７５に対して変位させ、これらを一直線になるよう位置決めさせることができる。
【００８４】
つまり、一対の前記支持部材４４と１つの前記飾り部材７５とが全体で１つの部材のような外観を呈することになるから、前記側柵４６を使用しないときの、前記ベッドフレーム５の側部の外観形状を向上させることになる。
【００８５】
このように、上述した実施の形態のベッド装置によれば、前記支持部材４４を前記ベッドフレーム５の側部に前記アーム部材４２を介して移動可能に取付ける構造とした。そして、前記側柵を使用する場合、前記アーム部材４２を回動させながら前記支持部材４４を前記ベッドフレーム５から離れる方向へ移動させ、前記支持部材４４の前記支持孔４５に前記側柵４６を支持する。
【００８６】
前記側柵４６を使用しない場合、前記側柵４６の前記支持孔４４から前記側柵４６を取り外し、前記アーム部材４２を回動させながら前記支持部材４４を前記ベッドフレーム５に接近する方向へ移動させる。
【００８７】
前記支持部材４４を前記ベッドフレーム５から離れる方向或いは接近する方向へ移動させると、前記アーム部材４２の回動によって所定の位置で前記ロック用軸体６８を構成する前記スリーブ６９の前記第２の部分６９ｂが、図７に示すように前記第２の連結部材４３の下辺４３ａの前記第１の円弧状溝５２の端部に連通して形成された前記係合孔５３に係合する。
【００８８】
それによって、前記ロック用軸体６８は移動不能に保持されるから、前記アーム部材４２をそれ以上回動させることができなくなる。
【００８９】
つまり、前記側柵４６の使用時或いは不使用時に、前記支持部材４４を前記ベッドフレーム５から離れる方向或いは接近する方向に対し、所定の位置まで移動させれば、前記ストッパ手段５１を構成する前記スリーブ６９の前記第２の部分６９ｂを前記第１の円弧状溝５２の前記係合孔５３に自動的に係合に係合させ、前記支持部材４４を移動不能に保持することができる。
【００９０】
そのため、たとえば前記側柵４６の使用時に、その側柵４６を支持した前記支持部材４４を移動不能に保持するのを忘れ、前記側柵４６を支持した前記支持部材４４がガタ付いたり、側柵の不使用時に所定の位置に位置決め収容された前記支持部材４４がガタ付いて不安定になるなどのことを防止することができる。
【００９１】
前記ストッパ手段５１は通常、前記支持部材４４を前記ベッドフレーム５に取付けるために必要な前記アーム部材４２と前記第２の連結部材４３とに組み込むようにしている。つまり、前記支持部材４４を前記ベッドフレーム５に移動可能に取付けるために通常、用いられる部材を利用して前記ストッパ手段５１を設けるようにしている。
【００９２】
そのため、前記ストッパ手段５１を設けるために、前記支持部材４４と前記ベッドフレーム５との連結構造の複雑化や大型化を招くことがないばかりか、部品点数が増大するのを極力抑えることができるということがある。
【００９３】
前記ストッパ手段５１によって移動不能に保持された前記支持部材４４は、前記ガイド軸６５の下端部に設けられた解除操作軸部６７に手指を当て、前記ガイド軸６５を前記ばね７１の付勢力に抗して上昇させた後、前記支持部材４４を前記ベッドフレーム５に対して接近する方向或いは離れる方向へ移動させれば、そのロック状態を解除することができる。
【００９４】
そのため、前記支持部材４４の前記ストッパ手段５１によるロック状態の解除操作を簡単に、しかも迅速に行うことができる。
【００９５】
前記ストッパ手段５１によるロック状態を解除するための前記解除操作軸部６７を、前記アーム部材４２の下面側に設けるようにしている。そのため、ベッド装置の利用者などが前記解除操作軸部６７を不用意に押圧操作し、前記ストッパ手段５１による前記アーム部材４２のロック状態を解除してしまうのを防止できるということもある。
【符号の説明】
【００９６】
５…ベッドフレーム、４２…アーム部材、４４…支持部材、４６…側柵、５１…ストッパ手段、５２…第１の円弧状溝（第１のガイド部）、５３…係合孔（第１のガイド部）、５５…第２の円弧状溝（第２のガイド部）、６１…凸部、６２…収納孔、６３…第１の通孔、６４…第２の通孔、６５…第１のガイド軸、６７…解除操作軸部、６８…ロック用軸体、６９…スリーブ、７１…ばね、７２…ナット（ストッパ部材）、７５…飾り部材。
【図１】
2020069320.tif 000003
【図２】
2020069320.tif 000004
【図３】
2020069320.tif 000005
【図４】
2020069320.tif 000006
【図５】
2020069320.tif 000007
【図６】
2020069320.tif 000008
【図７】
2020069320.tif 000009
【図８】
2020069320.tif 000010
【図９】
2020069320.tif 000011
【図１０】
2020069320.tif 000012